(57)【要約】【課題】  左官工事などに使用する鏝を効率的に整然と収容し、保管や携行をすることができる工具箱を提供する。【解決手段】  容器本体１の内部に側壁から一定間隔を隔てて縦壁３を配置し、該縦壁３の上端部に鏝の首部分を挿入するための切り込み４を形成する。そして、鏝の首部分を前記縦壁３の切り込み４に挿入させて係止した状態で閉じることができる深さの蓋２を備える。縦壁３の上端は、容器本体１の上端よりも低く形成することによって蓋２の厚みを薄くすることが可能である。容器本体１の内部に配置する縦壁３は、容器本体の側壁内面の全周に沿って配置することによって縦壁３で囲われた収容空間９を形成し、鏝以外の工具などを収容することができる。縦壁３は、容器本体１の一辺ないし三辺の側壁に沿って形成することもできる。【選択図】  図１
2005074525.tif 000002
【特許請求の範囲】
【請求項１】
容器本体の上端開放部に蓋を装着する工具箱において、容器本体の内部に側壁から一定間隔を隔てて縦壁を配置し、該縦壁の上端部に鏝の首部分を挿入するための切り込みを形成するとともに、鏝の首部分を前記縦壁の切り込みに挿入させて係止した状態で閉じることができる深さの蓋を備えたことを特徴とする工具箱。
【請求項２】
容器本体の内部に配置する縦壁は、容器本体の側壁内面の全周に沿って配置し縦壁によって囲われた収容空間を形成したことを特徴とする請求項１記載の工具箱。
【請求項３】
容器本体の内部に配置する縦壁の上端は、容器本体の上端よりも低く形成することを特徴とする請求項１又は２記載の工具箱。
【発明の詳細な説明】
【技術分野】
【０００１】
この発明は、主として左官工事に際して必要な鏝と鏝以外の工具などを収容し、携行や保管をするための工具箱に関する発明である。
【背景技術】
【０００２】
従来から各種の工具類を収容するために、使用目的に応じて各種の工具箱が使用されている。従来知られている工具箱は、比較的大きな容器本体に工具などを収容して蓋をするのが普通である。そして、容器本体内に小物を仕分けして収容することができるように、トレーを収容することが行われている。特許文献１にはトレー容器を備えるとともに、円盤状の工具を蓋に固定して収納する工具箱の構造が開示されている。
小物を中心に収容することを目的とする工具箱では、特許文献２に開示されているように複数の中皿を設け、リンク機構によって連結する思想も提案されている。
【特許文献１】特開平８−９０４５７
【特許文献２】特開２００２−１８６５１２
【発明の開示】
【発明が解決しようとする課題】
【０００３】
従来の工具箱は、比較的大きな工具類と、ネジや釘といった部品などの小物を分離させて収容することはできるが、容器本体の内部に比較的大きな工具を分類させて効率的に収容することができるものはなかった。特に、左官工事などに使用する鏝は、容器本体内に収容することができる大きさであっても、その形状が特殊な形状であることから収まりにくい欠点があった。また、容器本体の内部に鏝と鏝以外の物を収容することによって、鏝板が変形したり傷がつく可能性があった。
【０００４】
上記、従来技術の欠点に鑑み本発明は、従来工具箱に効率的に収容することが困難であった鏝を効率的に整然と収容することができ、主に左官作業を行う人が使用して便利な専用の工具箱を提供することを目的とするものである。
【課題を解決するための手段】
【０００５】
上記目的を達成するため請求項１記載の発明は、容器本体１の上端開放部に蓋２を装着する工具箱において、容器本体１の内部に側壁から一定間隔を隔てて縦壁３を配置する。そして、縦壁３の上端部に鏝５の首６部分を挿入するための切り込み４を形成するとともに、容器本体の上端開放部に装着する蓋２は、鏝５の首６部分を前記縦壁３の切り込み４に挿入させて係止した状態で閉じることができる深さとする。
【０００６】
請求項２記載の発明は、容器本体１の内部に配置する縦壁３を、容器本体１の側壁内面の全周に沿って配置し、縦壁３によって囲われた収容空間９を形成したものである。これにより、縦壁３に比較的多くの鏝を係止させることができるとともに、収容空間９には鏝以外のものを収容することが可能となる。
【０００７】
請求項３記載の発明は、容器本体１の内部に配置する縦壁３の上端を、容器本体の上端よりも低く形成することによって、蓋２を取り扱い易い厚みとして実施することが可能となるものである。
【発明の効果】
【０００８】
請求項１記載の発明によれば、容器本体１の内部に配置した縦壁３に鏝５を安定よく支持させた状態で蓋２を閉じることができる。そして、容器本体１の側壁内面と縦壁３との間の空間以外の空間には、鏝５以外の工具や部品その他必要なものを収容することができる。このとき、鏝５はその首６部分を縦壁３の切り込み４に支持されるとともに、鏝５の鏝板７部分を容器本体１の内面と縦壁３との間の空間に位置させるため収まりがよい。そして、容器本体１の内面と縦壁３との間の空間以外の空間は、任意の物品の収容空間として有効に活用することができる。鏝５を収容した状態で、鏝板７どうしが接触する他、他の収容物品が鏝板７に衝突するようなことがない。したがって、仕上げ面の精度に大きな影響がある大切な鏝板７を変形させたり、傷つけるといったことがなくなる。
【０００９】
請求項２記載の発明によれば、容器本体１の側壁内面に沿ってできるだけ多くの鏝５を収容することができるとともに、縦壁３によって囲われ、鏝板７と接触する可能性のない収容空間９を形成することができる。この収容空間９には、鏝５以外の他任意物品を収容することができる。収容空間９を縦壁３によって形成することで、全体として多くのものを効率的に纏まりよく収容することができる。
【００１０】
請求項３記載の発明によれば、鏝５の首６部分を縦壁３の切り込み４に係合させたときに、柄８の柄尻及び鏝板７の鏝尻部分の上方への突出寸法が小さくなる。そのため、蓋２の厚みを比較的薄く形成することができる特長がある。
【発明を実施するための最良の形態】
【００１１】
以下、本発明に係る工具箱の好ましい実施形態を添付の図面に基づいて説明する。図１は、本発明に係る工具箱の実施形態を示すものであって、蓋を開いた状態の斜視図、図２は蓋を閉じた状態の斜視図、図３は蓋を開けた状態の平面図である。
【００１２】
図１に示す実施形態の工具箱は、容器本体１と、容器本体１の上端開放部分を覆う蓋２で構成し、容器本体１と蓋２は背面に設けたヒンジ10によって開閉自在とするとともに、ヒンジ10と対向する正面に設けた係止具11によって閉蓋状態を維持することができる。また、蓋２の上面には図２に示すように把手12を設け、工具箱全体を携行することができるようにしている。
【００１３】
容器本体１内には、側壁から一定間隔を隔てて縦壁３を配置する。この縦壁３は容器本体１内の四辺の側壁のうちの一辺、二辺又は三辺の側壁に沿って設けるものであってもよいが、図１に示す実施形態では、容器本体１内の四辺の側壁に沿って設けることによって、縦壁３で囲われた収容空間９を形成している。縦壁３の上端部には、鏝５の首６部分を挿入して係止させることができる切り込み４を一定間隔に形成している。
【００１４】
容器本体１の側壁内面と縦壁３との間隔は大きなものである必要はなく、鏝５の鏝板７を挿入することができるものであればよい。また、切り込み４の幅は、鏝５の首６部分が嵌り込んで盲動しない程度の幅であって、ガタツキの少ないものであるのが望ましい。さらに、図示実施形態においては、縦壁３の上端を容器本体１の側壁上端よりも幾分低く形成している。
【００１５】
図１に示す工具箱に鏝を収容するには、図３及び図４に示すように鏝５の先端を下に向け、鏝板７を容器本体１の側壁と縦壁３の間の空間に差し込み、鏝の首６を縦壁３の切り込み４に嵌め込んで係合させる。これにより、鏝５は縦壁３に安定良く支持され、柄８の柄尻部分及び鏝板７の鏝尻部分が上方に突出する。このとき、鏝５の鏝板７は容器本体１の側壁と縦壁３の間の空間に、柄８は縦壁３に囲まれた収容空間９に位置している。この状態で、蓋２を閉じることによって鏝５は安定よく工具箱に収容され、該鏝を収容した工具箱は把手12を持って携行することができる。
【００１６】
縦壁３によって囲われた収容空間９には鏝５の柄８部分が突出する。しかしながら、任意の物品を収容する通常の収容空間として有効に活用することができる空間が確保されるものである。そのため、収容空間９には例えば左官工事に必要な鏝以外の各種の工具類や任意の物品を収容することができる。収容空間９に収容した物品は、縦壁３に係止させた鏝５の鏝板７と接触することがない。そのため、例え金属製の工具類を収容しても鏝板７と接触して傷がつくといったことがない。また、鏝板どうしが接触して傷がつくようなことがないとともに、重なり合って荷重が掛かることによって鏝板７が変形するようなこともない。
【００１７】
左官作業その他鏝を使用する作業では、作業内容に応じて複数種類の鏝を使用するのが普通である。したがって、縦壁３には用途に応じた複数の鏝を係止させることができるだけの切り込み４を備えておく。また、必要に応じて鏝を収容空間９に寝かせて収容することもできる。また、鏝は、その種類によって幅の細いものから広いものまであり、かつ鏝板の長さもまちまちである。したがってこれらの変化に対応することができるように、容器本体１の深さ及び蓋２の厚み、縦壁３の高さを設計する。
【００１８】
縦壁３に鏝を係止させたときに、鏝板７の鏝尻部分や柄尻部分が上方に向くため、該上方に突出する部分を覆うことができるだけの蓋２の厚みを確保する必要がある。このとき蓋２の厚みが大きくなり過ぎ、バランスが悪くなる可能性がある。しかしながら、図示実施形態においては、縦壁３の高さを容器本体１の側壁上端よりも低く形成することによって、容器本体１の側壁上端からの突出寸法を少なくすることができ、これにともなって蓋２の厚みを薄く形成することができる。
【００１９】
図示実施形態の縦壁３は、容器本体１の側壁よりも僅かに低いものとしている。しかしながら、縦壁３の上端をより低いものとすることができる。この場合、蓋２の厚みをより薄く形成することができる。縦壁３の高さは、長い鏝板７を備えた鏝であっても、鏝板７の先端が容器本体１の底壁に当たらないで、容器本体１内に収容できるように設定する必要があり、これにより容器本体１の深さが決定されることになる。これらのバランスは、設計的な事項であって、使用者の要望や工具箱としてデザインの観点から適宜決定することができる。
【００２０】
図１ないし図３に示す実施形態では、縦壁３を容器本体１内において全周の側壁と平行に配置することによって方形枠状の縦壁３を設け、その内方に独立した収容空間９を形成している。これに対し、図５に示す実施形態は、容器本体１の側壁の一辺にのみ並行させて縦壁３を形成している。この実施形態では、容器本体１の一辺に沿って配置し、その余の部分は通常の工具箱と同様に収容空間９として利用する。
【００２１】
図６に示す実施形態は、容器本体１の側壁の二辺に平行な縦壁３を設けている。このように、縦壁３を配置する範囲は、任意の範囲とすることが可能である。縦壁３を設ける範囲は、工具箱として使用する目的や用途、特に使用する鏝の数を勘案して決定することができる。その他、図５に示す実施形態において、縦壁３と平行させて別の１ないし複数の縦壁を形成し、複数列に配列した状態で鏝を収容するものとすることもできる。
【図面の簡単な説明】
【００２２】
【図１】図１は、本発明に係る工具箱の実施形態の一例を示すものであって、蓋を開いた状態の斜視図、
【図２】図２は、図１に示す実施形態の蓋を閉じた状態の斜視図、
【図３】図３は、図１に示す実施形態の平面図、
【図４】図４は、図１に示す実施形態の工具箱の使用状態を示す一部分のみの縦断面図、
【図５】図５は別の実施形態を示す工具箱であって、容器本体のみの平面図、
【図６】図６はさらに別の実施形態を示す工具箱の、容器本体のみの平面図。
【符号の説明】
【００２３】
１…容器本体、  ２…蓋、  ３…縦壁、  ４…切り込み、  ５…鏝、  ６…首、  ７…鏝板、  ８…柄、  ９…収容空間、  10…ヒンジ、  11…係止具、  12…把手。
【図１】
2005074525.tif 000003
【図２】
2005074525.tif 000004
【図３】
2005074525.tif 000005
【図４】
2005074525.tif 000006
【図５】
2005074525.tif 000007
【図６】
2005074525.tif 000008